(57)【要約】  タオル１０は、基部層１２と、基部層１２から離れて突起する複数の隆起した突起部１４とを含む。基部層１２は、第１側面１６と第２側面１８を有する。一実施例では、突起部１４は、不連続的に配置され、基部層１２の側面１６、１８の一方又は両方にそれぞれ別個に固定される。一実施例では、突起部１４は、表面２０に対して、基部層１２よりも大きな静止摩擦係数を有する。基部層１２は、吸収性材料から形成することができ、突起部１４は、比較的非吸収性の材料から形成することができる。一実施例では、突起部１４は、基部層１２の側面１６、１８の一方の約５０％未満を覆う。さらに一実施例では、突起部１４の形状は、実質的に半球状であることができる。
2007521093.tif 000002
【特許請求の範囲】
【請求項１】
タオルであって：
（ｉ）第１側面、及び（ｉｉ）前記第１側面に対して実質的に反対側の第２側面を有する基部層と、
前記第１側面にそれぞれ別個に固定された複数の隆起した第１突起部であって、前記基部層よりも大きな静止摩擦係数を有し、それによって、前記第１突起部が表面と接触する時、前記タオルと表面の間の相対的な動きを阻止する前記第１突起部とを備えるタオル。
【請求項２】
前記第２側面にそれぞれ別個に固定された、複数の不連続な、隆起した第２突起部であって、前記基部層よりも大きな静止摩擦係数を有し、それによって、前記第２突起部が表面と接触する時、前記第２突起部が前記タオルと表面の間の相対的な動きを阻止する突起部をさらに備える、請求項１に記載のタオル。
【請求項３】
前記基部層が液体吸収性材料から形成される、請求項１に記載のタオル。
【請求項４】
前記基部層が超極細繊維材料を含む、請求項３に記載のタオル。
【請求項５】
前記第１突起部が実質的に非吸収性材料から形成される、請求項１に記載のタオル。
【請求項６】
前記第１突起部の少なくとも一部が、少なくとも部分的にプラスチック材料から形成される、請求項１に記載のタオル。
【請求項７】
前記第１突起部の少なくとも一部が、少なくとも部分的にラテックス材料から形成される、請求項１に記載のタオル。
【請求項８】
前記第１突起部の少なくとも一部が、該第１突起部が少なくとも、６．４５平方センチメートル（１平方インチ）当たり第１突起部９個の密度を有するように、前記第１側面に配置される、請求項１に記載のタオル。
【請求項９】
前記第１突起部が、前記基部層の前記第１側面の約５０％未満を覆う、請求項１に記載のタオル。
【請求項１０】
前記第１突起部の少なくとも一部が、中心で約０．６４センチメートル（約４分の１インチ）に配置される、請求項１に記載のタオル。
【請求項１１】
前記第１突起部が、前記基部層の前記第１側面から、少なくとも約０．２ミリメートルから約２．０ミリメートル未満の範囲内で突出する、請求項１に記載のタオル。
【請求項１２】
前記第１突起部の少なくとも一部の形状が、実質的に半球状である、請求項１に記載のタオル。
【請求項１３】
前記第１突起部の少なくとも一部が、第１軸、及び前記第１軸に直交する第２軸の周りで実質的に対称形である、請求項１に記載のタオル。
【請求項１４】
前記第１突起部の少なくとも一部が、前記第１軸及び前記第２軸に直交する第３軸に関して対称形である、請求項１３に記載のタオル。
【請求項１５】
前記基部層の前記第２側面が、前記基部層の前記第２側面の実質的に残りの部分とは異なる色彩を有する実質的に円盤形状の域を含む、請求項１に記載のタオル。
【請求項１６】
表面で使用するタオルであって、：
（ｉ）第１側面、及び（ｉｉ）前記第１側面に対して反対側の第２側面を有する基部層と、
前記第１側面にそれぞれ別個に固定された複数の実質的にドーム形状の第１突起部であって、少なくとも部分的に実質的に非吸収性のプラスチック材料から形成され、前記基部層よりも、表面に対して大きな静止摩擦係数を有し、前記基部層の前記第１側面の約５０％未満を覆う前記第１突起部とを備えるタオル。
【請求項１７】
前記第１突起部が、前記基部層の前記第１側面から、少なくとも約０．２ミリメートルから約２．０ミリメートルの範囲内で突出する、請求項１６に記載のタオル。
【請求項１８】
前記第１突起部の少なくとも一部が、第１軸と、前記第１軸に直交する第２軸との周りで実質的に対称形である、請求項１６に記載のタオル。
【請求項１９】
前記第１突起部の少なくとも一部が、前記第１軸及び前記第２軸に直交する第３軸に関して実質的に対称形である、請求項１８に記載のタオル。
【請求項２０】
前記基部層の第２側面が、前記基部層の前記第２側面の実質的に残りの部分とは異なる色彩を有する実質的に円盤形状の域を含む、請求項１６に記載のタオル。
【請求項２１】
タオルを製造する方法であって：
複数の実質的に非吸収性突起部を設けるステップと；
前記突起部が、表面に対して液体吸収性基部層の静止摩擦係数よりも大きな静止摩擦係数を有するように、前記突起部を前記基部層の一方側面に別個に固定するステップとを含む方法。
【請求項２２】
複数の突起部を設けるステップが、各突起部それぞれが、第１軸と、前記第１軸に直交する第２軸とに関して実質的に対称形となるように、前記突起部を形成することを含む、請求項２１に記載の方法。
【請求項２３】
複数の突起部を設けるステップが、各突起部それぞれが、前記第１軸及び前記第２軸に直交する第３軸に関して実質的に対称形となるように、前記突起部を形成することを含む、請求項２２に記載の方法。
【請求項２４】
別個に固定するステップが、前記複数の突起部で、前記基部層の前記第１側面の約５０％未満を覆うことを含む、請求項２１に記載の方法。
【請求項２５】
複数の突起部を設けるステップが、前記突起部のそれぞれを実質的にドーム形状に形成することを含む、請求項２１の方法。
【請求項２６】
別個に固定するステップが、前記第１突起部を、前記基部層の前記第１側面から、少なくとも約０．２ミリメートルから約２．０ミリメートル未満の範囲内で突出するように位置決めすることを含む、請求項２１に記載の方法。
【請求項２７】
実質的に円盤形状のフォーカス域を、前記基部層の第２側面に、前記フォーカス域が、前記第２側面の実質的に残りの部分とは異なる色彩を有するように配置するステップをさらに含む、請求項２１に記載の方法。
【発明の詳細な説明】
【技術分野】
【０００１】
本明細書は、２００３年７月３日提出の米国特許仮出願第６０／４８４，６９７号と、Ｓｕｓａｎ  Ｎｉｃｈｏｌｓによって２００４年６月３０日に提出された、代理人整理番号第３０００６．０１を有する、「突起物を備えた吸収性タオル」という名称の米国特許非仮出願の恩典を請求する。米国特許仮出願第６０／４８４，６９７号と、Ｓｕｓａｎ  Ｎｉｃｈｏｌｓによって２００４年６月３０日に提出された、代理人整理番号第３０００６．０１を有する、「突起物を備えた吸収性タオル」という名称の米国特許非仮出願との内容を参照によって本明細書の一部とする。
【背景技術】
【０００２】
筋力強化運動及び協調運動が、最近盛んになってきている。健康に関心の高い文化では、ジョギング、水泳、及びサイクリングなどが、長い間運動の一般的な形態となっている。しかしより最近では、体調を保とうとするこうした願いは、所望レベルの肉体的健康及び精神的健康を達成し、又は維持すると同時に、大きな負担のかかる運動による怪我を少なくしようとする、これまでとは異なった、より革新的な方法を模索している。
【０００３】
例えば、様々な形態のヨガが、今日の社会でより大きな人気を得ている。ヨガは、特定の体位を保持することに集中することによって、筋力と柔軟性を増大させながら、心をリラックスさせることが知られている。その結果、ヨガ及び他の類似の訓練は、その参与者の健康状態を上昇させ、精神状態を向上させることができる。一般的に、クッション性のあるゴムが、ヨガを実践する人々によって使用されて、膝を曲げ、立ち上がり、横たわるための柔軟な表面を提供する。しかし、長い時間様々なポースを保持しながらバランスをとるという肉体への負荷から、参与者はマット上に汗をかいて、マットを滑りやすい状態にし、それによって滑り、怪我の可能性が増大することになる。したがって、参与者は、ヨガの実践中に、適切な集中から気がそがれる可能性がある。さらに、マットは一般に比較的非吸収性であり、ヨガ参与者が使用するためのパッド付きエリアを作り出す以外には、ほとんど利点をもたらさない。
【発明の開示】
【課題を解決するための手段】
【０００４】
本発明は、タオルであって、基部層と、その基部層から突出する複数の隆起した突起部とを含むタオルを対象とする。この基部層は、第１側面と第２側面を有する。一実施例では、突起部を不連続的に配置し、基部層の一方側面又は両側面にそれぞれ別個に固定することができる。一実施例では、突起部は、基部層よりも高い静止摩擦係数を有して、突起部が表面と接触する時、タオルと、タオルが配置される表面との間の相対的な動きを阻止する。
【０００５】
一実施例では、基部層は、超極細繊維材料などの液体吸収性材料から形成される。さらに、突出部の少なくとも一部は少なくとも部分的に、比較的非吸収性であるラテックスから形成される。一実施例では、突起部は、基部層の一方側面の約５０％未満を覆う。さらに、１つの特定の実施例では、突起部の少なくとも一部の形状は、実質的に半球状である。
【０００６】
本発明はまた、タオルを製造する方法も含む。
【０００７】
本発明の新規の特徴、並びに本発明自体が、その構造とその動作のいずれに関しても、添付の記述と併せて検討すれば、添付の図面から最も良く理解されよう。図面において類似の参照文字は、類似の部分を指す。
【実施例】
【０００８】
図１は、第１の広げられた構成のタオル１０の斜視図である。この実施例では、タオル１０は、本明細書で述べるように、基部層１２と、基部層１２から突出する隆起した突起部１４とを含む。図１に示す基部層１２は、第１側面１６と第２側面１８を有する。この実施例では、突起部１４は、第１側面１６に固定される。しかし、側面１６、１８のいずれもが、第１側面１６又は第２側面１８になることができる。例えば、突起部１４は、基部層１２の第２側面１８に固定することができる。タオル１０は、当業者に知られている任意の容認可能なやり方によって縛ることのできる周囲縁部１９も含む。
【０００９】
図１は、Ｘ軸と、Ｘ軸に直交するＹ軸と、Ｘ軸及びＹ軸に直交するＺ軸とを示す座標を示している。これらの軸を、それぞれ第１軸、第２軸、及び第３軸とも呼ぶことができること、これらの軸のいずれもが、第１軸、第２軸、及び第３軸と呼ぶことができることに留意されたい。
【００１０】
図１に示す実施例では、タオル１０を、水分が表面２０に導入された時、そうでなければツルツルし、又は滑り易くなることのある表面２０の上面に配置することができる。図１に示すように、表面２０は、以下により詳しく説明するように、ヨガ又は他のスポーツ・エクササイズ中に使用するための閉鎖気泡又は開放気泡を含むものなどの、ヨガ又は他のスポーツ・マットの任意の適切なタイプのものであることができる。或いは、表面２０は、任意のタイプのフローリング材、テーブル若しくは他の家具、地面、或いは任意のタイプの他の支持面であることができる。
【００１１】
タオル１０の寸法は様々であることができる。タオル１０は、タオル１０が配置される表面２０と実質的に同様に寸法決めすることができる。一実施例では、タオル１０は、標準寸法のヨガ・マット２０の凡その寸法である、約６１センチメートル（約２４インチ）掛ける約１７３センチメートル（６８インチ）の寸法を有することができる。しかし、タオル１０は、約６１センチメートル（２４インチ）掛ける約１７３センチメートル（６８インチ）よりも大きい又は小さい寸法を有することができる。例えば、代替的実施例では、タオル１０は、非排他的として、洗面タオル、ハンド・タオル、ビーチ・タオル、バス・タオル、バス・マット、皿ふきタオル、ジム若しくはスポーツ・タオル、たれよけ布、小型敷物、ベビー用交換マットとして使用するのに寸法決めすることができる。
【００１２】
さらに、タオル１０は、特に非衣料品として適しているが、タオル１０を、吸収性が有利となる他の用途で使用することもできる。例えば、タオル１０は、バスローブ、シャツ、パンツ、帽子、スカーフ、ソックス、若しくは任意の他の適切な衣料品などの衣料、或いは非衣料品に組み込み、且つ／又はそれらとして製造することができる。このような設計によって、汗、降水、又は偶発的な水分などのいかなる水分も、必要に応じてタオル１０によって吸収することができる。
【００１３】
基部層１２は、タオル１０の設計要件に応じて変化することのできる比較的吸収性の材料から形成することができる。例えば、基部層１２は非排他的実施例として、任意の適切な吸収性を有する、綿、絹、毛、麻などの天然繊維若しくは天然織物、並びに／或いはアクリル、ポリエステル超極細繊維、ナイロン、及び／若しくはレーヨンなどの合成材料を含むことができる。
【００１４】
さらに、基部層１２は、タオル１０の吸収性要件及び／又は特定の使用要件に応じて、広範な厚み、重量、及び／又は密度を有することができる。基部層１２は又、異なった色彩の材料、及び／又は異なった色彩の模様、イメージ等も含むことができる。
【００１５】
例えば、図１に示す実施例では、基部層１２の第２側面１８は、基部層１２の実質的に残りの部分とは異なる色彩を有するフォーカス域２２を有する。この設計では、ヨガ、武術、又は他のスポーツ活動を実行する個人が、彼ら又は彼女らの注意を、そのような運動に参加する間、集中及び／又は焦点を助けるためのフォーカス域２２に集中させることができる。フォーカス域２２は、基部層１２の残りの部分を形成するのに使用される材料と同じものから形成することができ、或いは、フォーカス域２２は、異なった材料から形成することもできる。図１に示す実施例では、フォーカス域２２は、幾分円盤形状であり、充分小さく寸法決めされて、運動中、使用者の目が大きく動かずに使用者がフォーカス域２２で集中することができるようにする。例えば、フォーカス域２２の直径は、約１．０センチメートルと６．０センチメートルの間であることができる。しかし、フォーカス域２２の寸法は、この範囲外であることもできる。代替的実施例では、フォーカス域２２は、他の適切な形状、即ち長方形、三角形、線状、楕円、又は他の適切な幾何学形状を有することができる。
【００１６】
突起部１４に使用される（複数の）材料は、様々であることができる。例えば突起部１４は、非排他的実施例として、（ラテックスなどの）様々な形態のプラスチック、ゴム、エポキシ樹脂、又は任意の他の適切な材料であることができる。突起部１４を形成するのに使用される材料は、比較的高い静止摩擦係数を有することができる。一実施例では、突起部１４を形成するのに使用する材料は、基部層１２の静止摩擦係数よりも大きな静止摩擦係数を有することができる。この設計によって、突起部１４の比較的高い静止摩擦係数が、タオル１０が、タオル１０が配置される表面２０に対して相対的にスリップし、滑動し、又は他の形で動く可能性を減少させる。別の述べ方をすれば、突起部１４は、タオル１０と表面２０の間により大きな牽引力を提供する。
【００１７】
突起部１４の配置、形状、及び寸法は様々であることができる。一実施例では、突起部１４は模様として配置される。例えば、図１に示す実施例では、突起部１４は、基部層１２上に格子状の構成で位置決めされる。この実施例では、突起部１４は、複数の実質的に同様の列に位置決めされ、各列同士の間、及び個々の突起部１４同士の間に、比較的一定の間隔が置かれる。別法として、突起部１４は、基部層１２上で、実質的に無作為の形で位置決めすることもできる。
【００１８】
さらに、図１に示す実施例では、各突起部１４は、断続的、非接続的、及び／又は不連続的に、基部層１２の第１側面１６にそれぞれ別個に固定される。一実施例では、突起部１４は、突起部１４を基部層１２の位置内に融解させることを含むことができる熱処理法を使用して基部層１２の所定位置に固定することができる。基部層１２に突起部１４を固定するために使用することができる代替方法の実施例には、化学結合、接着剤、又は任意の他の適切な手段が含まれるが、これらの方法は、いかなる形でも制限することを意図するものではない。
【００１９】
隣接する突起部１４同士の間の間隔によって、突起部１４による干渉が減少し、又はなくなって、基部層１２は、表面２０及び／又は使用者からの水分を容易に吸収することができる。別の述べ方をすれば、基部層１２に数多くの突起部１４が固定されるにもかかわらず、基部層１２の第１側面の大きな部分が露出されるので、突起部１４によって引き起こされる水分吸収に対する妨害が減少、又は解消される。例えば、一実施例では、突起部１４は、基部層１２の総面積の約２０％未満を覆うように寸法決めされ、形作られ、配置される。代替的実施例では、突起部１４は、基部層１２の総面積の約２５％、３０％、４０％、５０％、７５％、又は９０％未満を覆うように寸法決めされ、形作られ、配置決めされる。
【００２０】
さらなる代替的実施例では、２つ又は複数の突起部１４を連続させることができ、例えば、基部層１２上に線、曲線、又は他の模様を形成するように一緒に固定することができる。さらに、一実施例では、突起部１４それぞれが、複数軸に関して対称形であることができる。例えば、図１に示す実施例では、突起部１４は、３本の軸：Ｘ軸、Ｙ軸、Ｚ軸に関して対称形である。他の実施例では、突起部１４は、Ｘ軸、Ｙ軸のような２本の異なった軸に関して対称形であるが、突起部１４が対称形となる特定軸は、様々であることができる。このような設計によって、以下により詳しく述べるように、製造プロセスが促進され、使用者の触刺激が高まる。
【００２１】
突起部１４同士間の間隔は、様々であることができる。一実施例では、突起部１４の間隔は、中心で約０．６４センチメートル（約４分の１インチ）であることができる。しかし、突起部１４同士の間隔は、それらが、突起部１４（及び基部層１２）と表面２０の間で起こる動きに対する所望レベルの阻止を達成する限り、中心で約０．６４センチメートル（４分の１インチ）より大きく、又はそれ未満であることができる。さらに、突起部１４は、基部層１２による水分吸収を過度に妨害せずに、相互に比較的接近して配置することができるので、基部１２が、たとえば突起部１４同士の間で、表面２０に対して相対的に動く可能性は少ない。その結果、タオル１０が表面２０に対してスリップすることによる怪我は減少される。
【００２２】
さらに、突起部１４それぞれが、基部層１２から突出し、又は延びる距離は、様々であることができる。一実施例では、突起部１４は、基部層１２の第１側面１６から少なくとも約０．１ミリメートル突出することができる。代替的実施例では、突起部１４は、基部層１２の第１側面１６から、少なくとも約０．２ミリメートル、０．３ミリメートル、０．５ミリメートル、０．７５ミリメートル、１．０ミリメートル、１．５ミリメートル、２．０ミリメートル、３．０ミリメートル、又は５．０ミリメートル突出することができる。
【００２３】
代替的実施例では、突起部１４は、基部層１２の第１側面１６から（ｉ）０．１ミリメートルより大きく、５．０ミリメートル未満、（ｉｉ）０．２ミリメートルより大きく、２．０ミリメートル未満、或いは（ｉｉｉ）０．５ミリメートルよりも大きく、１．０ミリメートル未満の範囲内で突出することができる。さらに別法として、突起部１４は、基部層１２の第１側面１６から前述の距離及び範囲より小さく、又はそれよりも大きく突出することができる。さらに、突起部１４同士の間隔、突起部１４の高さ、並びに／或いは基部層１２の厚み及び／又は重量に応じて、使用者は、タオル１０と静的又は動的に接触している時、非排他的な例として、使用者の体の特定圧力点への力、又は使用者の筋肉組織マッサージを含む様々な触感を受け取ることができる。以上の設計によって、使用者は、タオル１０の使用中、必要レベルの触刺激を受け取ることができる。
【００２４】
図２は、タオル２１０の代替的実施例の部分的平面図である。この実施例では、突起部２１４は、基部層２１２上に反復された、幾分菱形状の模様に配置されて、列が、図１に示すものよりも幾分ずれるようになる。さらに別法として、突起部２１４は、同心の円形、三角形、又は任意の他の適切な幾何学模様を形成するように別個に配置することができる。
【００２５】
図３Ａ〜６Ｂは、突起部１４の幾つかの実施例の様々な代表的形状を示す。図３Ａ〜６Ｂに描く実施例は、もっぱらここで論じるために提示しているのであって、いかなる形においても本発明の範囲を制限するものではない。突起部１４の形状は、タオル１０と接触する使用者によって所望される触刺激のレベルに応じて、及び／又どの程度の摩擦レベルが突起部１４と表面２０の間で必要となり、又は所望されるかに応じて様々であることができる。
【００２６】
図３Ａは、突起部３１４の形状の一実施例の上面図である。この実施例では、突起部３１４は丸い、又は円形状のフットプリント（fｏｏｔｐｒｉｎｔ）を有する。図３Ｂは、図３Ａで示す突起部３１４の側面図である。図３Ｂは、突起部３１４は、実質的にドーム形状又は半球形状を有することができることを示す。
【００２７】
図４Ａは、突起部４１４の形状の一実施例の上面図である。この実施例では、突起部４１４は長方形のフットプリントを有する。図４Ｂは、図４Ａに示す突起部４１４の側面図である。図４Ｂは、突起部４１４が実質的にフラスト錐体（ｆｒｕｓｔｏ−ｃｏｎｉｃａｌ）形状を有することを示す。
【００２８】
図５Ａは、突起部５１４の形状の実施例の上面図である。この実施例では、突起部５１４は、丸い若しくは円形のフットプリントを有する。図４Ｂは、図５Ａで示す突起部５１４の側面図である。図５Ｂは、突起部５１４が、実質的に円柱状で、平板若しくは平坦な形状を有することができることを示す。
【００２９】
図６Ａは、突起部６１４の形状の一実施例の上面図である。この実施例では、突起部６１４は、丸い若しくは円形のフットプリントを有する。図６Ｂは、図６Ａで示す突起部６１４の側面図である。図６Ｂは、突起部６１４が、実質的にフラスト錐体形状を有することができることを示す。
【００３０】
図７は、タオル７１０の代替的実施例である。この実施例では、タオル７１０は、基部層７１２の第１側面７１６のそれぞれに複数の第１突起部７１４Ａを、基部層７１２の第２側面７１８のそれぞれに複数の第２突起部７１４Ｂを含む。この設計によって、タオル７１０は、いずれの側面７１６、７１８も下向き（表面７２０に向かって）、或いは上向きに（表面７２０から離れて）にして使用することができる。さらに、使用者は、タオル７１０の基部層７１２に固定された突起部７１４Ａ、７１４Ｂの量、形状、寸法、及び配置に応じて触刺激の増大を感じることができる。突起部７１４Ａ、７１４Ｂは、両側面７１６、７１８で実質的に同一形状、同一寸法、及び同一配置であることができ、或いは形状、寸法、及び配置が、第１側面７１６と第２側面７１８で異なることもできる。
【００３１】
図８は、第２の巻かれた構成のタオル８１０の実施例を示す。この実施例では、タオル８１０は、先に述べたものと実質的に同様であることができる。しかし、タオル８１０は、基部層８１２に取り外し可能に又は固定して取り付けられるストラップ８２４も含むことができる。ストラップ８２４は、ループとパイル、フックとループ、スナップ等を含む任意の適切な手段によって基部層８１２に取り付けることができる。別法として、ストラップ８２４を基部層８１２の周りに結んで、タオル８１０を巻かれた構成に維持することができる。ストラップ８２４は、タオル８１０を複数箇所の間でより簡単に運び、又は他の形で移送するために、ハンドル８２６を含むことができる。さらに、ストラップ８２４は、タオル８１０を、例えばタオル８１０が使われるまで保管するために、（図８に示すように）第２の巻かれた構成に維持するのに使用することができる。
【００３２】
本明細書に示し、詳しく開示した特定のタオル１０は、目的を達成し、本明細書で先に述べた利点を提供することが完全に可能であるが、言うまでもなく、それは、本発明の現在好ましい実施例の幾つかを単に例示するに過ぎず、本明細書に示す構造又は設計の詳細には、添付請求項で述べる以外には何ら制限を意図するものではない。
【図面の簡単な説明】
【００３３】
【図１】第１構成で示す、本発明の特徴を有するタオルの一実施例の斜視図である。
【図２】本発明の特徴を有するタオルの他の実施例の一部の部分的平面図である。
【図３Ａ】突起部の第１実施例の斜視図である。
【図３Ｂ】図３Ａに示す突起部の側面図である。
【図４Ａ】突起部の第２実施例の斜視図である。
【図４Ｂ】図４Ａに示す突起部の側面図である。
【図５Ａ】突起部の第３実施例の斜視図である。
【図５Ｂ】図５Ａに示す突起部の側面図である。
【図６Ａ】突起部の第４実施例の斜視図である。
【図６Ｂ】図６Ａに示す突起部の側面図である。
【図７】本発明の特徴を有するタオルの他の実施例の斜視図である。
【図８】第２構成で示す、本発明の特徴を有するタオルの他の実施例の斜視図である。
【図１】
2007521093.tif 000003
【図２】
2007521093.tif 000004
2007521093.tif 000005
2007521093.tif 000006
2007521093.tif 000007
2007521093.tif 000008
【図７】
2007521093.tif 000009
【図８】
2007521093.tif 000010
【手続補正書】
【提出日】平成18年1月5日(2006.1.5)
【手続補正１】
【補正対象書類名】特許請求の範囲
【補正対象項目名】全文
【補正方法】変更
【補正の内容】
【特許請求の範囲】
【請求項１】
（ｉ）少なくとも部分的に液体吸収性材料から形成された第１側面と、（ｉｉ）少なくとも部分的に液体吸収性材料から形成され前記第１側面に対して実質的に反対側に位置し少なくとも部分的に露出した第２側面、を含む基部層と、
前記第１側面から突出して該第１側面に固定された複数の不連続に配置された突起部であって、実質的に非液体吸収性材料から形成された突起部と、を備えるタオル。
【請求項２】
前記突起部はプラスチック、ゴム、エポキシ樹脂からなるグループから選択された材料から形成されている、請求項１記載のタオル。
【請求項３】
前記突起部の少なくとも１つは前記基部層の前記第１側面から約０．１ミリメートル突出している、請求項１記載のタオル。
【請求項４】
前記突起部は前記基部層の前記第１側面の約９０％未満を覆っている、請求項１記載のタオル。
【請求項５】
前記突起部は前記基部層の総面積の約５０％未満を覆っている、請求項１記載のタオル。
【請求項６】
前記突起部の少なくとも２つは互いに対してそれぞれの中心が少なくとも約０．６４センチメートル（約４分の１インチ）離れるように配置されている、請求項１記載のタオル。
【請求項７】
前記突起部の少なくとも２つは互いに対してそれぞれの中心が約０．６４センチメートル（約４分の１インチ）未満離れるように配置されている、請求項１記載のタオル。
【請求項８】
前記基部層は少なくとも部分的に超極細繊維材料から形成されている、請求項１記載のタオル。
【請求項９】
前記第２側面は全体が液体吸収性材料から形成されている、請求項１記載のタオル。
【請求項１０】
前記第２側面は全体が露出している、請求項１記載のタオル。
【請求項１１】
前記突起が表面と接触した時、タオルと該表面との間の相対移動を妨げるように、該突起部は前記基部層の前記第１側面よりも高い静摩擦係数を有する、請求項１記載のタオル。
【請求項１２】
（ｉ）少なくとも部分的に液体吸収性材料から形成された第１側面と、（ｉｉ）少なくとも部分的に液体吸収性材料から形成され前記第１側面に対して実質的に反対側に位置し少なくとも部分的に露出した第２側面、を含む基部層と、
前記第１側面から突出して該第１側面に固定された複数の不連続に配置された突起部であって、前記基部層の前記第１側面よりも高い静摩擦係数を有し、該突起が表面と接触した時、タオルと該表面との間の相対移動を妨げる突起部と、を備えるタオル。
【請求項１３】
前記突起部の少なくとも１つは前記基部層の前記第１側面から約０．１ミリメートル突出している、請求項１２記載のタオル。
【請求項１４】
前記突起部は前記基部層の前記第１側面の約９０％未満を覆っている、請求項１２記載のタオル。
【請求項１５】
前記突起部は前記基部層の総面積の約５０％未満を覆っている、請求項１２記載のタオル。
【請求項１６】
前記突起部の少なくとも２つは互いに対してそれぞれの中心が少なくとも約０．６４センチメートル（約４分の１インチ）離れるように配置されている、請求項１２記載のタオル。
【請求項１７】
前記突起部の少なくとも２つは互いに対してそれぞれの中心が約０．６４センチメートル（約４分の１インチ）未満離れるように配置されている、請求項１２記載のタオル。
【請求項１８】
前記基部層は少なくとも部分的に超極細繊維材料から形成されている、請求項１２記載のタオル。
【請求項１９】
前記第２側面は全体が液体吸収性材料から形成されている、請求項１２記載のタオル。
【請求項２０】
前記第２側面は全体が露出している、請求項１２記載のタオル。
【請求項２１】
前記突起部はプラスチック、ゴム、エポキシ樹脂からなるグループから選択された材料から形成されている、請求項１２記載のタオル。
【請求項２２】
基部層の第１側面と第２側面を少なくとも部分的に液体吸収性材料から形成するステップであって、前記第２側面は少なくとも部分的に露出している、ステップと、
実質的に非液体吸収性材料から形成された突起部を前記第１側面へ、該側面から突出させて固定するステップとを備えるタオルを製造する方法。
【請求項２３】
前記突起部を固定するステップは、該突起部の少なくとも１つをプラスチック、ゴム、エポキシ樹脂からなるグループから選択された少なくとも一つの材料から形成するステップを含む、請求項２２記載のタオルを製造する方法。
【請求項２４】
前記形成するステップは、前記第２側面の全体を液体吸収性材料から形成するステップを含む、請求項２２記載のタオルを製造する方法。
【請求項２５】
前記形成するステップは、前記第２側面の全体が露出するように前記基部層を形成するステップを形成するステップを含む、請求項２２記載のタオルを製造する方法。
【請求項２６】
前記固定するステップは、前記複数の突起部を前記第１側面に固定するために熱処理を用いる、請求項２２記載のタオルを製造する方法。
【請求項２７】
前記固定するステップは、前記突起が表面と接触した時、タオルと該表面との間の相対移動を妨げるため、前記突起部に前記基部層の前記第１側面よりも高い静摩擦係数を与えるステップを含む、請求項２２記載のタオルを製造する方法。
【国際調査報告】
2007521093.tif 000011